(57)【要約】【課題】安価な構成で両面原稿の読み取り時に生じる裏写り現象を防止することができ、且つ白色基準面の汚れをも防止することができる原稿搬送補助部材を提供する。【解決手段】原稿４ａの読み取り面を覆うカバーシート２０と、カバーシート２０と協働して原稿４ａを狭持可能とするように少なくとも一端が接合され且つ原稿４ａの非読み取り面を覆うベースシート２１とを備え、ベースシート２１を黒色にすることで原稿の裏写りを防止するようにした。【選択図】　　　図３
2004021227.tif 000002
【特許請求の範囲】
【請求項１】
搬送経路を搬送される原稿の画像情報を読み取る原稿読取手段を備えた画像処理装置に使用する原稿搬送補助部材において、
原稿の読み取り面を覆うカバーシートと、
前記カバーシートと協働して原稿を狭持可能とするように少なくとも一端が接合され且つ原稿の非読み取り面を覆うベースシートとを備え、
前記ベースシートに、原稿の裏写りを防止する裏写り防止手段を設けたことを特徴とする原稿搬送補助部材。
【請求項２】
前記裏写り防止手段は、前記ベースシートの所定部分の光反射率を低くすることを特徴とする請求項１に記載の原稿搬送補助部材。
【請求項３】
前記裏写り防止手段は、前記ベースシートの所定部分を黒色にすることにより構成したことを特徴とする請求項１に記載の原稿搬送補助部材。
【請求項４】
前記ベースシートは、原稿先端を位置決めセットするための目印を有することを特徴とする請求項１または２に記載の原稿搬送補助部材。
【発明の詳細な説明】
【０００１】
【発明の属する技術分野】
本発明は、画像処理装置に用いるキャリアシートと呼ばれる原稿搬送補助部材に関し、詳しくは、原稿画像を読み取り後の画像からビデオ信号を生成して、プロジェクター、ＣＲＴ（陰極線管）、液晶ディスプレイ等の外部装置に出力するための画像処理装置に用いる原稿搬送補助部材に関する。
【０００２】
【従来の技術】
従来、画像処理装置においては、照明手段の経時変化による原稿読取手段位置での原稿の明るさの変化や原稿自体の色の変化（普通の原稿は白色であるが、新聞紙等の特殊な原稿は白色よりも明度が低い）に対応して原稿読取手段の白補正（光量出力チェック及びシェーディング補正）を適宜行い、原稿に記録されている画像情報を常に高品位に読み取り可能とすることが行われている。
【０００３】
この白補正を行う方法としては、原稿読取手段の原稿読取位置に対応させて、画像処理装置本体に備えた白色基準面を照明手段により照明し、原稿を搬送させない状態で、照明手段により照明された前記白色基準面を原稿読取手段により読み取って白補正を行う方法を採用している。
【０００４】
また、例えば、写真等の貴重な原稿を搬送ローラや拍車等で汚したり、或いは傷付ける等の不具合を回避したり、画像処理装置で搬送精度を保証できないような小さな原稿や薄い原稿を読み取りたい場合に、搬送精度を確保したり、或いは原稿のセット性や取り扱い性を容易にするために、画像処理装置が取り扱えるサイズ（Ｂ５やＡ４の定型サイズ）のキャリアシートと呼ばれる原稿搬送補助部材が提案されている。
【０００５】
このキャリアシートの構成は、厚さが０．１ｍｍ程度で原稿の読み取り面側を覆う透明のシート部材と、厚さが０．１ｍｍ程度で原稿の非読み取り面側を覆う白色等のシート部材とから成り、前記両シート部材の一辺を溶着や接着により接合して一体化させたものである。
【０００６】
このように構成されたキャリアシートに原稿を挟み、原稿読取手段で原稿画像の読み取りを行った場合には、前述した不具合は回避され、常に良好な画像の読み取り結果を得ることができる。
【０００７】
【発明が解決しようとする課題】
しかしながら、前述した従来技術において、近年では資源の有効活用及び情報の圧縮を目的として原稿（資料）の両面印刷が行われるようになり、両面印刷された原稿をそのまま原稿処理装置の原稿読取手段により読み取り、プロジェクター等で出力したいという要望が高まっているため、以下に述べるような問題点が生じていた。
（１）両面印刷の原稿や、片面印刷でも非読み取り面が塵埃等で汚れてしまった原稿を読み取ろうとすると、原稿を照射する照明手段の光が原稿表面で反射するだけでなく、原稿を透過して光量チェックやシェーディング補正の基準となる白色基準面で反射し、その反射した光が原稿裏面を照射してしまうため、原稿読取手段により読み取った画像に原稿裏面の画像も読み取る、所謂裏写り現象が生じてしまう。
（２）両面印刷の原稿や片面印刷の原稿でも、非読み取り面が埃等で汚れてしまった原稿の場合は、白色基準面が原稿の記録面や塵埃等で汚れてしまった非読み取り面と接触するため汚れ易く、白色基準面が汚れると白基準のレベルが変動するため、読み込んだ画像の濃度が変わってしまう虞があった。
（３）前述した問題点を画像処理装置内で解決しようとすると、画像処理装置の小型化の妨げとなり、膨大なコストアップになってしまう。
【０００８】
本発明は、これら従来技術の有する問題点を解決するためになされたものであり、その目的とするところは、安価な構成で両面原稿の読み取り時に生じる裏写り現象を防止することができ、且つ白色基準面の汚れをも防止することができる原稿搬送補助部材を提供することにある。
【０００９】
【課題を解決するための手段】
上記目的を達成するために、本発明の原稿搬送補助部材は、搬送経路を搬送される原稿の画像情報を読み取る原稿読取手段を備えた画像処理装置に使用する原稿搬送補助部材において、原稿の読み取り面を覆うカバーシートと、前記カバーシートと協働して原稿を狭持可能とするように少なくとも一端が接合され且つ原稿の非読み取り面を覆うベースシートとを備え、前記ベースシートに、原稿の裏写りを防止する裏写り防止手段を設けたことを特徴とする。
【００１０】
【発明の実施の形態】
以下、本発明の各実施の形態を図面に基づき説明する。
【００１１】
（第一実施の形態）
まず、本発明の第一実施の形態を図１乃至図３に基づき説明する。
【００１２】
図１は、本実施の形態に係る原稿搬送補助部材を用いた画像処理装置の要部概略構成を示す断面図であり、同図において、１は画像処理装置で、図示省略したフレーム内には原稿読取部Ａが配設されている。２は原稿トレイで、該原稿トレイ２上に後述する原稿、或いは該原稿を狭持した後述するキャリアシート（以下、前記２つを纏めて「シート材３」と記述する。）を、その読み取りたい画像面を上側にして載置し、図示省略した動作方法指定用スイッチを操作することにより、原稿画像の読み取り動作が開始される。
【００１３】
原稿搬送手段について説明する。原稿トレイ２にセットした原稿束４のうち、上から数枚の原稿束４が一次分離パッド５及び給紙ローラ６、二次分離パッド７、分離ローラ８によって最上位のシート材３より一枚ずつ分離搬送される。
【００１４】
更に詳述すると、図示省略した駆動手段により給紙ローラ６が時計回り方向（図１の矢印方向）に回転し、該給紙ローラ６が分離ローラ８の回転中心を支点として下降することにより、給紙ローラ６が原稿束４の最上部の１枚に当接し、シート材３の給紙を開始する。シート材３の給紙が開始されると、給紙ローラ６と当接しているシート材３が原稿搬送方向下流側（図１の左方向）に移動する。
【００１５】
ここで、給紙ローラ６とシート材３との間に働く摩擦力が、原稿束４とシート材３との間の摩擦力よりも大きく、且つ原稿束４と該原稿束４が当接している部材との間の摩擦力が原稿束４とシート材３との間の摩擦力よりも大きいことを条件に、給紙ローラ６によって適正にシート材３が原稿束４から分離される。給紙ローラ６により分離されたシート材３は、原稿束４を引きずりながら一次分離パッド５に当接し、該一次分離パッド５の傾斜に沿って進行しながら、先端が先行して送られる。
【００１６】
シート材３の先端は分離ローラ８に当接し、二次分離パッド７との間に挟み込まれて、更に原稿搬送方向下流側（図１の左方向）に送られる。続いてシート材３の先端は、図示省略した原稿位置検出手段により検知され、一定時間経過後に、図示省略した駆動手段が制御される。そして、シート材３の先端は、静止状態にあるメインローラ９に当接し、該メインローラ９とメイン補助ローラ１０との間に挟まれて、シート材３の分離搬送の手順が終了する。分離されたシート材３は、メインローラ９及びメイン補助ローラ１０によって、原稿読取部Ａに搬送される。
【００１７】
原稿読取手段について説明する。原稿読取部Ａに搬送されたシート材３は、リニアイメージセンサ１１によって画像が読み取られ、読み取られた画像情報は電気信号に変換される。
【００１８】
ここで、リニアイメージセンサ１１は、ＣＣＤ（電荷結合素子）やコンタクトイメージセンサ等からなる所謂ライン型の読み取りセンサであり、シート材３の搬送方向（副走査方向）に対して直交する方向（主走査方向）に沿って、多数の光電変換素子を直線状に配設して構成されている。
【００１９】
リニアイメージセンサ１１の原稿搬送方向下流側（図１の左側）には、該リニアイメージセンサ１１に近接する排紙ローラ１２及び排紙補助ローラ１３が設けられており、画像読み取り後のシート材３を排紙する。
【００２０】
ここで前述した原稿読取部Ａにおける詳細な構成及び動作内容について、図２を参照して説明する。
【００２１】
原稿読取部Ａは、メインローラ９及びメイン補助ローラ１０より原稿搬送方向下流側（図２の左方向）の排紙ローラ１２及び排紙補助ローラ１３に向かってリニアイメージセンサ１１と係合する基台１４、メイン補助ローラ１０や排紙補助ローラ１３等を係止する補助ローラ基台１５、リニアイメージセンサ１１、メイン補助ローラ１０と排紙補助ローラ１３をメインローラ９と排紙ローラ１２に向かって密着させる働きを持たせる補助ローラばね１６、補強はり１７を設けて構成されている。
【００２２】
リニアイメージセンサ１１は、シート材３の読み取りたい画像面に直接密着、または近接して画像を読み取る所謂ライン型の読取センサであり、センサ部１１ａ、光源ランプ１１ｂ、透明カバー部１１ｃ及び短焦点結像レンズ（このレンズは無くても良い。）等を内蔵して構成されている。
【００２３】
リニアイメージセンサ１１の光軸方向に対して下側には、シェーディング補正処理の際に必要な絶対色基準となる白色基準面１８ａを上側に有した白色シート１８が設けられている。この白色シート１８は、その原稿搬送方向上流側（図２の右側）が補助ローラ基台１５に固定されており、また、その原稿搬送方向下流側（図２の左側）先端はフリーになっている。白色シート１８は、図２に示すように、原稿搬送面に対して一定角度だけ傾斜させて補助ローラ基台１５に貼着したことにより、原稿搬送方向下流側（図２の左側）のフリーとなっている先端で、リニアイメージセンサ１１の原稿読取位置を押圧するように構成されている。尚、白色シート１８としては、弾性部材、例えばポリエステルシート等が用いられ、リニアイメージセンサ１１の読取幅に比べて若干（片側につき２〜３ｍｍ以上）幅広に設定されている。
【００２４】
また、白色シート１８は、図２に示すように、その一端側が補助ローラ基台１５に粘着テープ等で貼着されており、その貼着面は、原稿搬送面に対して一定角度傾いている。更に白色シート１８の原稿搬送方向下流側先端はフリーとなって固定されていないので、シート材３が厚いシートであっても、白色シート１８は光軸方向下側（図２の下側）へ傾くので、シート材３が詰まること無く搬送することができる。
【００２５】
更に、白色シート１８は、その原稿搬送方向下流側（図２の左側）先端がフリーになっていることから、シート材３を均一に、しかも十分な幅を持ってリニアイメージセンサ１１の透明カバー部１１ｃに押圧することができ、部品精度を上げる必要がなく、低コストで原稿画像の読み取りを行うことができる。
【００２６】
次に、本発明の要旨である原稿搬送補助部材について、図３を用いて説明する。
【００２７】
図３は、本実施の形態に係る原稿搬送補助部材であるキャリアシートの構成を示す斜視図である。
【００２８】
本実施の形態に係るキャリアシートは、画像を読み取った後、画像編集ソフト等による画像編集を行わずに、読み取った画像をそのままプロジェクター等で出力を行うことで、簡便にプレゼンテーションが行えることを目的としている。また、本実施の形態に係るキャリアシートを用いた画像処理装置１の対応原稿は、Ａ４（２１０．０×２９７．０ｍｍ）、レター（８．５×１１インチ）及びリーガルサイズ（８．５×１４インチ）であるが、本実施の形態に係るキャリアシートの外形寸法は、便宜上これら数種の原稿サイズを包括できる大きさ、即ち、リーガルサイズより若干大きくしたものとし、外形寸法は、２２２．０ｍｍ×３８０．０ｍｍに設定している。
【００２９】
尚、本実施の形態において適用した外形寸法以外でも、例えば、対応原稿それぞれに専用となるサイズ、或いは新聞の切り抜き、写真等、小版原稿への対応として、Ｂ５サイズ等でも本発明に適用することは可能である。
【００３０】
図３において、１９は本実施の形態に係るキャリアシートで、原稿４ａの読み取り面側を覆うカバーシート２０と原稿３の非読み取り面側を覆うベースシート２１とを接合して構成されている。
【００３１】
カバーシート２０は、無色透明（透過率９０％以上）で、厚さ約０．ｌｍｍのＰＥＴ製シートから成り、このシートのメインローラ９（図１参照）等の搬送手段との当接面側には、高硬度の耐摩耗性コーティングが施されている。また、ベースシート２１は、厚さ約０．１ｍｍの黒色のＰＥＴ製シートから成る。
【００３２】
ここで、ベースシート２１が白色であると、両面印刷の原稿画像を読み取る際に、原稿４ａを照射するリニアイメージセンサ１１の光源ランプ１１ｃの光が原稿４ａの表面で反射するだけでなく、原稿４ａを透過してベースシート２１の白色面で反射し、非読み取り面に記録された情報も読み取ってしまうため、所謂裏写り現象が生じる。
【００３３】
そこで、本実施の形態においては、ベースシート２１の前面（表面）を光反射率の低い黒色にして不透明とすることにより、原稿４ａの裏写りを防止する裏写り防止手段としたものである。
【００３４】
尚、本実施の形態では、ベースシート２１の前面（表面）を光反射率の低い黒色としたが、本発明はこれに限られるものではなく、少なくとも原稿４ａの非読み取り面が光反射率の低いもので覆われていれば良い。
【００３５】
また、カバーシート２０とベースシート２１とを接合するための溶着部は、本実施の形態では、熱変形による歪み等を最小限に抑えるために超音波方式による溶着を採用している。そして、キャリアシート１９の挿入端面部に設けた溶着部２２ａと、該挿入端面部と直交するどちらか片方の端面部に設けた溶着部２２ｂとでカバーシート２０とベースシート２１とを接合している。
【００３６】
このようにキャリアシート１９の端面部を２箇所溶着することで、仮令前述した分離搬送により、カバーシート２０が給紙ローラ６（図１参照）にて分離搬送されようとしても、カバーシート２０はベースシート２１と縦横２箇所で溶着されているため、ベースシート２１が剥離されずに搬送することができ、その結果、カバーシート２０とベースシート２１との剥離から生じる搬送量不足や原稿４ａのずれ、或いは斜行を防ぐことができる。
【００３７】
尚、本実施の形態では、キャリアシート１９の端面部の２箇所を溶着したが、本発明はこれに限らず、少なくとも端面部の１箇所以上でカバーシート２０とベースシート２１とを接合すれば良い。
【００３８】
また、キャリアシート１９の挿入端面部に設けた溶着部２２ａは、挿入端面部の上端から下端に向けて広い範囲（本実施の形態では約２０ｍｍ前後）でカバーシート２０とベースシート２１とを溶着している。
【００３９】
従来、カバーシートとベースシートとの溶着部は数ミリの領域があれば溶着可能とされているが、本実施の形態では、カバーシート２０とベースシート２１とを接合する他に、溶着部２２ａの下端を基準として原稿４ａの上端セット位置を規定するために、溶着部２２ａの下端を目印として使用しており、原稿４ａがキャリアシート１９の挿入端面部近傍に狭持されないようにすることで、キャリアシート１９の挿入端面部を極力薄くし、搬送不良を起こさないようにしている。
【００４０】
このように、溶着部２２ａの下端を原稿４ａの上端セット位置の目印とすることで、キャリアシート１９の挿入端面部に原稿４ａが狭持されることを防ぎ、キャリアシート１９の挿入端面部が厚くなるのを防止している。
【００４１】
また、溶着部２２ａの下端を目印として原稿４ａをセットする他に、キャリアシート１９の挿入端面部と直交するどちらか片方の端面部に設けた溶着部２２ｂを目印として原稿４ａをセットすると、該原稿４ａの縦位置及び横位置を共に定めることができ、画像処理装置１で読み取ってプロジェクター等で出力しても、原稿４ａに記録された情報が傾くことなく、見易い画像情報を提示することができる。
【００４２】
尚、原稿４ａのセット位置を規定する目印としては、本実施の形態の溶着部２２ｂの他に、ラベル等を貼り付けても良いし、切り欠き等を設けても良い。
【００４３】
ここで、前述した原稿読取部Ａでの原稿読み取り動作を、図２を用いて説明する。
【００４４】
前述した原稿読取部Ａにおいて、リニアイメージセンサ１１に内蔵された光源ランプ１１ｂ、短焦点結像レンズ及びセンサ部１１ａのバラツキ等の光電変換系に起因したリニアイメージセンサ１１からの出力電圧のムラが発生することがある。
【００４５】
そこで、まず、このムラを除去するために、光量の出力チェック及びシェーディング補正処理を行う。光量の出力チェック及びシェーディング補正処理を行うには、光源ランプ１１ｂを点灯した状態で、センサ部１１ａの光軸方向下側（図２の下側）に設けられている白色シート１８の白色基準面１８ａを透明カバー部１１ｃに対向させ、光源ランプ１１ｂからの反射光を、センサ部１１ａに向かわせる。この状態で、白色基準面１８ａの反射光をセンサ部１１ａにより読み取り、該読み取った光量（Ｒ，Ｇ，Ｂ）の出力チェックを行い、各色の出力バランスをとる。
【００４６】
更に、各色の出力バランスをとった状態で、白色基準面１８ａの反射光をリニアイメージセンサ１１のセンサ部１１ａで読み取り、シェーディングムラのデータを取る。このデータに基づいて、シート材３の画像を読み取ったときの光電変換素子の出力電圧を補正する。
【００４７】
前述した光量の出力チェック及びシェーディング補正処理を行った後、原稿読取部Ａを用いて、シート材３に記録された情報を読み取る動作は、次のようにして行われる。
【００４８】
まず、一方の面にのみ情報が記録された片面原稿４ａ、或いはＯＨＰ（オーバーヘッドプロジェクター）用紙のような透過原稿４ａである場合について、説明する。
【００４９】
前述した光量の出力チェック及びシェーディング補正処理を行う場合のように、センサ部１１ａの光軸方向下側（図２の下側）に設けられている白色シート１８の白色基準面１８ａを透明カバー部１１ｃに対向させる。この状態で、前述した分離搬送の手順に従い、原稿束４から最上位の原稿４ａが１枚だけ給紙ローラ６により搬送され、該搬送されてきた原稿４ａをメインローラ９とメイン補助ローラ１０との間に挟んで、メインローラ９を図１において時計回り方向に回転させることにより、原稿４ａをリニアイメージセンサ１１の光軸方向下側（図２の下側）へ搬送する。
【００５０】
リニアイメージセンサ１１の光軸方向下側（図２の下側）に搬送された原稿４ａは、上記原稿搬送面に対して一定角度傾けて配設されている白色シート１８に突き当たり、該白色シート１８の傾きに沿って原稿４ａが搬送され、リニアイメージセンサ１１の透明カバー部１１ｃに略密着した状態で、白色シート１８の白色基準面１８ａに突き当たり、白色基準面１８ａと透明カバー部１１ｃとの間を搬送する際に、リニアイメージセンサ１１のセンサ部１１ａにより原稿４ａの画像が読み取られる。
【００５１】
これにより、一方の面にのみ情報が記録された片面原稿４ａを高品位の画像で読み取ることができ、また、透過原稿４ａの画像も、白色基準面１８ａが透過原稿４ａの背景となるため、高品位の画像を読み取ることができる。
【００５２】
次に、両面に情報が記録された原稿４ａ、或いは片面原稿でも情報が記録されていない非読み取り面が埃等で汚れてしまった原稿４ａの読み取りを行う場合について説明する。
【００５３】
前述したキャリアシート１９のカバーシート２０とベースシート２１とが協働して両面に情報が記録された原稿４ａ、或いは片面原稿でも情報が記録されていない非読み取り面が埃等で汚れてしまった原稿４ａを、溶着部２２に設けた目印を配設位置の目安として、カバーシート２０とベースシート２１との間に狭持し、原稿トレイ２上に載置する。
【００５４】
この状態で、前述した一方の面にのみ情報が記録された片面原稿４ａ、或いはＯＨＰ用紙のような透過原稿４ａである場合と同様に、前述した分離搬送の手順に従い、原稿トレイ２上からキャリアシート１９を給紙ローラ６により搬送し、キャリアシート１９をメインローラ９とメイン補助ローラ１０との間に挟んで、メインローラ９を図１において時計回り方向に回転させることにより、キャリアシート１９をリニアイメージセンサ１１の光軸方向下側（図２の下側）へ搬送する。
【００５５】
リニアイメージセンサ１１の光軸方向下側（図２の下側）に搬送されたキャリアシート１９は、原稿搬送面に対して一定角度傾けて配設している白色シート１８に突き当たり、白色シート１８の傾きに沿って搬送され、リニアイメージセンサ１１の透明カバー部１１ｃに略密着した状態で、白色シート１８の白色基準面１８ａに突き当たる。キャリアシート１９が白色シート１８の基準白色面１８ａと透明カバー部１１ｃとの間を搬送される際に、リニアイメージセンサ１１のセンサ部１１ａにより、キャリアシート１９内の原稿４ａの画像が読み取られる。
【００５６】
これにより、裏面に記録された画像が表面に記録された画像と共に読み込まれることになる裏写り現象が発生することなく、高品位の画像を読み取ることができる。
【００５７】
このようにして、白色基準面１８ａをリニアイメージセンサ１１のセンサ部１１ａに対向して配設させ、透過原稿４ａを読み取る際には、白色基準面１８ａが透過原稿４ａの背面となることで、高品位の画像を読み取ることができる。
【００５８】
また、両面に情報が記録された原稿４ａや片面原稿４ａでも、情報が記録されていない非読み取り面が埃等で汚れてしまった原稿４ａを読み取る際には、原稿４ａの非読み取り面を黒色のベースシート２１で覆うキャリアシート１９を使用することで、裏面に記録された画像が白色基準面１８ａで反射されて、表面に記録された画像と共に読み込まれることがなくなり、高品位の画像を読み取ることができる。
【００５９】
また、両面に情報が記録された原稿４ａや片面原稿４ａでも、情報が記録されていない非読み取り面が埃等で汚れてしまった原稿４ａをキャリアシート１９で狭持させて読み取るように構成することで、裏面に印刷された記録面や埃等の汚れと白色基準面１８ａとが非接触となるため、光量の出力チェック及びシェーディング補正処理時に用いる白色基準面１８ａのレベルの変動を抑えることができ、読み込んだ画像の濃度を変化させずに、安定して読み取ることができる。
【００６０】
更に、両面に情報が記録された原稿４ａや片面原稿４ａでも、情報が記録されていない非読み取り面が埃等で汚れてしまった原稿４ａをキャリアシート１９の溶着部２２に設けた目印を使用してセットすることで、原稿４ａの縦位置及び横位置が共に定まるため、画像処理装置１で読み取ってプロジェクター等で出力しても、原稿４ａに記録された情報の傾きを防ぐことができ、見易い情報を提示することができる。
【００６１】
（第二実施の形態）
次に、本発明の第二実施の形態について、図４を用いて説明する。
【００６２】
尚、本実施の形態に係る原稿搬送補助部材を用いる原稿撮像装置の構成は、上述した第一実施の形態における図１と同様であるので、同図を流用して説明する。
【００６３】
図４は、本実施の形態に係る原稿搬送補助部材であるキャリアシートの構成を示す斜視図であり、このキャリアシートは、前述した第一実施の形態に係るキャリアシート１９と外形寸法は同一にし、ベースシートと溶着部を変更したものである。
【００６４】
図４において、２３はキャリアシートで、前述した第一実施の形態に係るキャリアシート１９と同様に、原稿４ａの読み取り面側を覆うカバーシート２４と原稿４ａの非読み取り面側を覆うベースシート２５とを接合して構成されている。
【００６５】
カバーシート２４は、無色透明（透過率９０％以上）で、厚さ約０．ｌｍｍのＰＥＴ製シートから成り、このシートのメインローラ９（図１参照）等の搬送手段との当接面側には、高硬度の耐摩耗性コーティングが施されている。また、ベースシート２５は、厚さ約０．１ｍｍの黒色のＰＥＴ製シートから成る。
【００６６】
カバーシート２４とベースシート２５とを接合するための溶着部２６は、キャリアシート２３の挿入方向端面部に設けてあり、熱変形による歪み等を最小限に抑えるために、超音波方式による溶着を採用している。
【００６７】
また、ベースシート２５上には、原稿保持部材（原稿保持手段）２７が設けられている。この原稿保持部材２７は、アクリル系の粘着剤を厚さ１０μｍ程度で塗布したものである。アクリル系の粘着剤の接着力は、前述した分離搬送で用いる給紙ローラ６とシート材３との間に働く摩擦力よりも大きく、且つ原稿４ａが剥離可能となるように調整されている。
【００６８】
また、原稿保持部材２７の表面は平滑面ではなく、起伏がランダムにある構成となっている（不図示）。これは、原稿保持部材２７の表面の平滑度が高いと、両シート２４，２５相互間に空気が入り込んだ場合に、その空気の逃げ道が無くなって大きな気泡となり、視覚的に不快感を与える等の不具合が発生するので、これを回避するため、空気の逃げ道を確保し、気泡を分散させて目立ち難くしたものである。
【００６９】
尚、本実施の形態では、原稿保持部材２７として無色透明のアクリル系の粘着剤を用いたが、これに限らず、例えば、球形エマルジョンや微少のクリップ等の止め具であっても良い。
【００７０】
また、ベースシート２５上の原稿保持部材２７の非塗布領域は、全ての辺において少なくとも加工上の塗布位置誤差や経時変化によっても食み出さないような領域に設定されている。これは、アクリル系粘着剤が外形より飛び出し、搬送時にメインローラ９や排紙ローラ１２等の構成部品を汚損したり、或いは塵埃の付着によりキャリアシート２３自体が汚れるのを防ぐためである。
【００７１】
尚、本実施の形態では、キャリアシート２３の外形寸法に対して、上端余白を２０．０ｍｍ、左右余白を３．０ｍｍ、下端余白を５．０ｍｍに、それぞれ設定した。
【００７２】
ここで、原稿保持部材２７の上端部の非塗布領域が広いのは、原稿４ａの上端と溶着部２６との間に隙間を設けてセットするためである。
【００７３】
詳しくは、キャリアシート２３を使用する人が原稿４ａの上端セット位置を決める際に、原稿保持部材２７を塗布した箇所と塗布していない箇所とでは、光沢の違いや、手で触れた時の感触の違いによる識別部２５ａを設けたことにより、良好な配設箇所の目印とすることができる。
【００７４】
これは、比較的厚いキャリアシート２３を搬送不良にさせないために、ベースシート２５上に識別部２５ｂを設けることで、キャリアシート２３の挿入端面部に原稿４ａが狭持されることを防ぎ、キャリアシート２３の挿入端面部が厚くなるのを防止するためである。
【００７５】
従って、ベースシート２５上の原稿保持部材２７によって原稿４ａを保持可能とし、更に、黒色のベースシート２５により、原稿４ａの非読み取り面を光反射率の低い黒色で覆うことができるため、原稿４ａの裏写りを防止することができるようになっている。
【００７６】
以上のように本実施の形態に係るキャリアシート２３によれば、キャリアシート２３の溶着部２６をキャリアシート２３の挿入端面部のみにしても、原稿保持部材２７により原稿４ａを保持しながら搬送することができるため、比較的容易に原稿４ａをキャリアシート２３にセットすることができ、且つ原稿４ａの非読み取り面を黒色で覆うことで、原稿４ａの裏写り防止手段が構成され、原稿４ａの裏面に記録された画像が表面に記録された画像と共に読み込まれる、所謂裏写り現象が発生することなく、高品位の画像を読み取ることができる。
【００７７】
【発明の効果】
以上説明したように、本発明によれば、原稿の非読み取り面を覆う不透明なベースシートを備えた原稿搬送補助部材を用いることにより、原稿の裏面に記録された画像が表面に記録された画像と共に読み込まれることにより生じる裏写り現象を防止することができ、表面に記録された画像のみを読み取ることができる。
【００７８】
また、両面に情報が記録された原稿を読み込む際に、ベースシートで原稿の非読み取り面を覆うことで、原稿に情報を記録する際に発生する汚れを白色基準面に付けないようにすることにより、光量の出力チェック及びシェーディング補正処理時に用いる白色基準面のレベルの変動を抑えることができるため、読み込んだ画像の濃度を変化させずに、安定して読み取ることができる。
【００７９】
更に、原稿を両シート間に挟み込む際に、ベースシートや溶着部等で原稿の上端セット位置の目印を設けることにより、搬送不良を防止することができる。
【図面の簡単な説明】
【図１】本発明の第一実施の形態に係る原稿搬送補助部材を用いた画像処理装置の要部の概略構成を示す断面図である。
【図２】図１のＡ部拡大図である。
【図３】本発明の第一実施の形態に係る原稿搬送補助部材の構成を示す外観斜視図である。
【図４】本発明の第二実施の形態に係る原稿搬送補助部材の構成を示す外観斜視図である。
【符号の説明】
１　　　画像処理装置
２　　　原稿トレイ
３　　　シート材
４　　　原稿束
４ａ　　原稿
５　　　一次分離パッド
６　　　給紙ローラ
７　　　二次分離パッド
８　　　分離ローラ
９　　　メインローラ
１０　　補助ローラ
１１　　リニアイメージセンサ（読取手段）
１１ａ　センサ部
１１ｂ　光源ランプ
１１ｃ　透明カバー部
１２　　排紙ローラ
１３　　排紙補助ローラ
１４　　基台
１５　　補助ローラ基台
１６　　補助ローラばね
１７　　補強はり
１８　　白色シート
１８ａ　白色基準面１８ａ
１９　　原稿搬送補助部材（キャリアシート）
２０　　カバーシート
２１　　ベースシート
２２ａ　溶着部
２２ｂ　溶着部
２３　　原稿搬送補助部材（キャリアシート）
２４　　カバーシート
２５　　ベースシート
２５ａ　識別部
２６　　溶着部
２７　　原稿保持部材（原稿保持手段）
Ａ　　　原稿読取部
【図１】
2004021227.tif 000003
【図２】
2004021227.tif 000004
【図３】
2004021227.tif 000005
【図４】
2004021227.tif 000006